(57)【要約】【課題】いわゆるスマートキーシステムの利便性をより向上させたスクータ型車両を提供する。【解決手段】このスクータ型車両は、カードキー５１と交信して正規の所有者であるか否かを認証する認証回路５２と、認証回路５２を起動する起動スイッチ５３とを備えている。カバー４は、フートボード１１から上方に延在する立壁面ＳＦと、立壁面ＳＦの上端縁から車両前方に向かって延在して車両上方に面する上頂面ＴＦとを有している。起動スイッチ５３は上頂面ＴＦに配置されている。【選択図】図５
2008195242.tif 000002
【特許請求の範囲】
【請求項１】
ヘッドパイプに回動自在に支持されたステアリング軸と、前記ステアリング軸の上端部に固定された操向ハンドルと、前記ステアリング軸の周囲を覆うカバーと、前記カバーの車両後方に配置されたシートと、前記カバーと前記シートとの間に配置されたフートボードと、携帯機と交信して正規の所有者であるか否かを認証する認証回路と、前記認証回路を起動する起動スイッチとを備え、
前記カバーは、前記フートボードから上方に延在する立壁面と、前記立壁面の上端縁から車両前方に向かって延在して車両上方に面する上頂面とを有し、
前記起動スイッチは前記上頂面に配置されていることを特徴とするスクータ型車両。
【請求項２】
前記起動スイッチはプッシュ式のものである請求項１記載のスクータ型車両。
【請求項３】
前記カバーは、挿入口をもつ物入れが形成されたカバー本体と、前記挿入口を覆い、一端部が支軸を中心に回動可能に前記カバー本体に支持される物入れリッドと、前記物入れリッドの他端部を前記カバー本体に固定する物入れリッド固定装置とを有し、
前記物入れリッド固定装置によるロックを解除し、前記物入れリッドを前記支軸回りに回動可能状態にする物入れリッドオープナを備え、
前記物入れリッドオープナは、前記上頂面で前記起動スイッチに近接した位置に配置されている請求項１記載のスクータ型車両。
【請求項４】
燃料供給口と、前記燃料供給口を開閉する燃料キャップと、前記燃料キャップを覆い、一端部が支軸を中心に回動可能に前記車体に支持される燃料リッドと、前記燃料リッドの他端部を前記車体に固定する燃料リッド固定装置と、前記燃料リッド固定装置によるロックを解除し、前記燃料リッドを前記支軸回りに回動可能状態にする燃料リッドオープナとを備え、
前記燃料リッドオープナは、前記上頂面で前記起動スイッチに近接した位置に配置されている請求項１記載のスクータ型車両。
【請求項５】
前記シートは一端部が支軸を中心に回動可能に車体に支持されるものであり、
前記シートの他端部を前記車体に固定するシート固定装置と、前記シート固定装置によるロックを解除し、前記シートを前記支軸回りに回動可能状態にするシートオープナとを備え、
前記シートオープナは、前記上頂面で前記起動スイッチに近接した位置に配置されている請求項１記載のスクータ型車両。
【請求項６】
燃料供給口と、前記燃料供給口を開閉する燃料キャップと、前記燃料キャップを覆い、一端部が支軸を中心に回動可能に前記車体に支持される燃料リッドと、前記燃料リッドの他端部を前記車体に固定する燃料リッド固定装置と、前記燃料リッド固定装置によるロックを解除し、前記燃料リッドを前記支軸回りに回動可能状態にする燃料リッドオープナとを備え、
前記燃料リッドオープナは、前記上頂面で前記起動スイッチに近接した位置に配置され、
前記物入れリッドオープナと前記燃料リッドオープナとは前記起動スイッチの左右に配置されている請求項３記載のスクータ型車両。
【請求項７】
前記シートは一端部が支軸を中心に回動可能に車体に支持されるものであり、
前記シートの他端部を前記車体に固定するシート固定装置と、前記シート固定装置によるロックを解除し、前記シートを前記支軸回りに回動可能状態にするシートオープナとを備え、
前記シートオープナは、前記上頂面で前記起動スイッチに近接した位置に配置され、
前記物入れリッドオープナと前記シートオープナとは前記起動スイッチの左右に配置されている請求項３記載のスクータ型車両。
【請求項８】
燃料供給口と、前記燃料供給口を開閉する燃料キャップと、前記燃料キャップを覆い、一端部が支軸を中心に回動可能に前記車体に支持される燃料リッドと、前記燃料リッドの他端部を前記車体に固定する燃料リッド固定装置と、前記燃料リッド固定装置によるロックを解除し、前記燃料リッドを前記支軸回りに回動可能状態にする燃料リッドオープナと、前記シートの他端部を前記車体に固定するシート固定装置と、前記シート固定装置によるロックを解除し、前記シートを前記支軸回りに回動可能状態にするシートオープナとを備え、
前記燃料リッドオープナは、前記上頂面で前記起動スイッチに近接した位置に配置され、
前記シートは一端部が支軸を中心に回動可能に車体に支持されるものであり、
前記シートオープナは、前記上頂面で前記起動スイッチに近接した位置に配置され、
前記物入れリッドオープナ、前記燃料リッドオープナ及び前記シートオープナのうちの少なくとも二つを、押圧時間の相違によって使い分けられる単一のボタンにて構成してなる請求項３記載のスクータ型車両。
【請求項９】
前記起動スイッチは車両幅方向の中央に位置している請求項１記載のスクータ型車両。
【請求項１０】
前記上頂面は、車両幅方向の中央に位置する中央面と、前記中央面の右側に位置する右面と、前記中央面の左側に位置する左面と、前記中央面と前記右面との間に形成され、車両上方に膨出するとともに車両前後方向に延びる右上膨出部と、前記中央面と前記左面との間に形成され、車両上方に膨出するとともに車両前後方向に延びる左上膨出部とからなり、
前記起動スイッチは前記中央面に配置されている請求項９記載のスクータ型車両。
【請求項１１】
前記カバーは、挿入口をもつ物入れが形成されたカバー本体と、前記挿入口を覆い、一端部が支軸を中心に回動可能に前記カバー本体に支持される物入れリッドと、前記物入れリッドの他端部を前記カバー本体に固定する物入れリッド固定装置とを有し、
前記物入れリッド固定装置によるロックを解除し、前記物入れリッドを前記支軸回りに回動可能状態にする物入れリッドオープナを備え、
前記物入れリッドオープナは前記中央面に配置されている請求項１０記載のスクータ型車両。
【請求項１２】
燃料供給口と、前記燃料供給口を開閉する燃料キャップと、前記燃料キャップを覆い、一端部が支軸を中心に回動可能に前記車体に支持される燃料リッドと、前記燃料リッドの他端部を前記車体に固定する燃料リッド固定装置と、前記燃料リッド固定装置によるロックを解除し、前記燃料リッドを前記支軸回りに回動可能状態にする燃料リッドオープナとを備え、
前記燃料リッドオープナは前記中央面に配置されている請求項１０記載のスクータ型車両。
【請求項１３】
前記シートは一端部が支軸を中心に回動可能に車体に支持されるものであり、
前記シートの他端部を前記車体に固定するシート固定装置と、前記シート固定装置によるロックを解除し、前記シートを前記支軸回りに回動可能状態にするシートオープナとを備え、
前記シートオープナは前記中央面に配置されている請求項１０記載のスクータ型車両。
【請求項１４】
前記上頂面は、車両後方に向かって低くなるように傾斜している請求項１記載のスクータ型車両。
【請求項１５】
前記立壁面は、上部よりも下部の方が車両前方に位置するように傾斜している請求項１記載のスクータ型車両。
【発明の詳細な説明】
【技術分野】
【０００１】
本発明はスクータ型車両に関する。
【背景技術】
【０００２】
特許文献１及び非特許文献１に従来のスクータ型車両が開示されている。このスクータ型車両は、車体フレームのヘッドパイプにステアリング軸が回動自在に支持され、ステアリング軸の上端部に操向ハンドルが固定されている。また、ステアリング軸の周囲はカバーによって覆われている。このカバーは、車両前方に位置するフロントカバーと、フロントカバーの車両後方側でフロントカバーと一体をなすインナーカバーとを有している。
【０００３】
また、カバーの車両後方にはシートが配置されており、カバーとシートとの間にはフートボードが配置されている。インナーカバーは、フートボードから上方に延在する立壁面と、立壁面の上端縁から車両前方に向かって延在して車両上方に面する上頂面とを有している。インナーカバーには引出し式のコントロールボックスが形成されている。コンソールボックスはコンソールボックス固定装置によってインナーカバーに固定されるようになっている。
【０００４】
フートボードは車両幅方向の中央で車両上方に突出する突出部を有しており、突出部内には燃料タンクが収納されている。燃料タンクの燃料供給口は燃料キャップによって開閉されるようになっている。フートボードには燃料キャップを覆う燃料リッドが設けられており、この燃料リッドは後端部が支軸を中心に回動可能に支持されている。燃料リッドの前端部は燃料リッド固定装置によってフートボードに固定されるようになっている。
【０００５】
シートは前端部が支軸を中心に回動可能に車体に支持されるものである。車体とシートの後端部との間にはシートの後端部を車体に固定するシート固定装置が備えられている。
【０００６】
また、このスクータ型車両は、カードキーと交信して正規の所有者であるか否かを認証する認証回路と、認証回路を起動する起動スイッチとを備えている。カードキー、認証回路、起動スイッチ等がいわゆるスマートキーシステムを構成している。カードキーは正規の所有者によって携帯される。認証回路及び起動スイッチはスクータ型車両に設けられている。起動スイッチは、インナーカバーの立壁面に配置されており、ノブをＯＮ位置、ＯＦＦ位置、ＬＯＣＫ位置又はＩＧＮＩＴＩＯＮ位置に回転させるノブ式のものである。
【０００７】
また、インナーカバーの立壁面には、起動スイッチの下方にコンソールボックスオープナ及びシートオープナが配置されている。コンソールボックスオープナはコンソールボックス固定装置によるロックを解除し、コンソールボックスを引出し可能状態にするものである。シートオープナは、シート固定装置によるロックを解除し、シートを支軸回りに回動可能状態にするものである。また、インナーカバーには、コントロールボックス内に燃料リッドオープナが設けられている。燃料リッドオープナを操作すれば、燃料リッド固定装置によるロックが解除され、燃料リッドが支軸回りに回動可能状態になるようにされている。
【０００８】
上記のように構成されたスクータ型車両では、まず、起動スイッチの操作により、正規の所有者が所持しているカードキーと認証回路との間で認証が行われる。そして、認証が成立すれば、コンソールボックスオープナ及びシートオープナの操作が可能になる。コントロールボックスを引き出すことにより、燃料リッドオープナの操作も可能になる。また、ノブをＯＮ位置に回してエンジン始動スイッチを押せば、エンジンが駆動される。ノブをＯＦＦ位置又はＬＯＣＫ位置に回せば、エンジンが停止される。一方、エンジンを停止し、正規の所有者がカードキーを携帯してそのスクータ型車両から遠ざかれば、認証回路が停止される。これによってコンソールボックスオープナ、シートオープナ及び燃料リッドオープナの操作は不可能になる。ノブをＬＯＣＫ位置に回せば、ハンドルがロックされる。
【０００９】
【特許文献１】特開２００６−３０６１３６号公報
【非特許文献１】“Honda／バイク／フォルツァ／主要装備／Hondaスマートカードシステム”、［online］、本田技研工業株式会社、［平成19年2月7日検索］インターネット〈URL：http://www.honda.co.jp/motor-lineup/forza/utility/〉
【発明の開示】
【発明が解決しようとする課題】
【００１０】
しかし、上記スクータ型車両は、シート上のライダが足を載せるフートボードから上方に延在する立壁面に起動スイッチが配置されているため、起動スイッチの操作の際にライダの足が邪魔になりやすく、起動スイッチの操作性が十分でない。また、シート上のライダは、起動スイッチを直視し難く、やや屈まなければそれを目視し難いため、認証回路の起動及び停止に手間取るおそれもある。それではスマートキーシステムを搭載したスクータ型車両の利便性が損なわれてしまう。
【００１１】
本発明は、上記従来の実情に鑑みてなされたものであって、いわゆるスマートキーシステムの利便性をより向上させたスクータ型車両を提供することを解決すべき課題としている。
【課題を解決するための手段】
【００１２】
本発明のスクータ型車両は、ヘッドパイプに回動自在に支持されたステアリング軸と、前記ステアリング軸の上端部に固定された操向ハンドルと、前記ステアリング軸の周囲を覆うカバーと、前記カバーの車両後方に配置されたシートと、前記カバーと前記シートとの間に配置されたフートボードと、携帯機と交信して正規の所有者であるか否かを認証する認証回路と、前記認証回路を起動する起動スイッチとを備え、
前記カバーは、前記フートボードから上方に延在する立壁面と、前記立壁面の上端縁から車両前方に向かって延在して車両上方に面する上頂面とを有し、
前記起動スイッチは前記上頂面に配置されていることを特徴とする。
【００１３】
このスクータ型車両では、起動スイッチが立壁面ではなく、立壁面の上端縁から車両前方に向かって延在して車両上方に面する上頂面に配置されているため、起動スイッチの操作時にライダの足が邪魔になることはなく、起動スイッチの操作性が良好である。また、シート上のライダは、身を屈めるまでもなく、上頂面上の起動スイッチを直視できるため、認証回路の起動及び停止を迅速に行うことができる。
【００１４】
したがって、本発明のスクータ型車両は、スマートキーシステムの利便性をより向上させることが可能である。
【００１５】
本発明のスクータ車両において、起動スイッチはプッシュ式のものであることが好ましい。上頂面上の起動スイッチがプッシュ式のものであれば、ライダは目視しながら指等によって起動スイッチを押圧しやすく、より良好な操作性を発揮できる。
【００１６】
本発明のスクータ車両において、カバーは、挿入口をもつ物入れが形成されたカバー本体と、挿入口を覆い、一端部が支軸を中心に回動可能にカバー本体に支持される物入れリッドと、物入れリッドの他端部をカバー本体に固定する物入れリッド固定装置とを有し得る。この場合、スクータ型車両は、物入れリッド固定装置によるロックを解除し、物入れリッドを支軸回りに回動可能状態にする物入れリッドオープナを備え得る。
【００１７】
この物入れリッドオープナは、上頂面で起動スイッチに近接した位置に配置されていることが好ましい。この場合、ライダが物入れリッドオープナも直視できるため、物入れリッド固定装置によるロックの解除を迅速に行うことができる。物入れリッドオープナもプッシュ式のものであることが好ましい。この場合、ライダは目視しながら指等によって物入れリッドオープナを押圧しやすく、より良好な操作性を発揮できる。
【００１８】
本発明のスクータ車両において、燃料供給口と、燃料供給口を開閉する燃料キャップと、燃料キャップを覆い、一端部が支軸を中心に回動可能に前記車体に支持される燃料リッドと、燃料リッドの他端部を車体に固定する燃料リッド固定装置と、燃料リッド固定装置によるロックを解除し、燃料リッドを支軸回りに回動可能状態にする燃料リッドオープナとを備え得る。
【００１９】
この燃料リッドオープナは、上頂面で起動スイッチに近接した位置に配置されていることが好ましい。この場合、ライダが燃料リッドオープナも直視できるため、燃料リッド固定装置によるロックの解除を迅速に行うことができる。燃料リッドオープナもプッシュ式のものであることが好ましい。この場合、ライダは目視しながら指等によって燃料リッドオープナを押圧しやすく、より良好な操作性を発揮できる。
【００２０】
本発明のスクータ車両において、シートは一端部が支軸を中心に回動可能に車体に支持されるものであり得る。この場合、スクータ型車両は、シートの他端部を車体に固定するシート固定装置と、このシート固定装置によるロックを解除し、シートを支軸回りに回動可能状態にするシートオープナとを備え得る。
【００２１】
このシートオープナは、上頂面で起動スイッチに近接した位置に配置されていることが好ましい。この場合、ライダがシートオープナも直視できるため、シート固定装置によるロックの解除を迅速に行うことができる。シートオ−プナもプッシュ式のものであることが好ましい。この場合、ライダは目視しながら指等によってシートオープナを押圧しやすく、より良好な操作性を発揮できる。
【００２２】
上記物入れリッドオープナ、燃料リッドオープナ及びシートオープナのうちの少なくとも二つを単一のボタンで実現し、押圧時間の長短によってその機能を分けることも可能である。これにより、数が増えがちな各種操作子を、近接した位置であるにも係わらず、煩雑になることなく簡潔に配置することができる。
【００２３】
起動スイッチは車両幅方向の中央に位置していることが好ましい。上頂面において、車両幅方向の中央はライダが最も注目できる位置であり、認証回路の起動及び停止を迅速に行うことができるからである。
【００２４】
カバーの上頂面は、車両幅方向の中央に位置する中央面と、中央面の右側に位置する右面と、中央面の左側に位置する左面と、中央面と右面との間に形成され、車両上方に膨出するとともに車両前後方向に延びる右上膨出部と、中央面と左面との間に形成され、車両上方に膨出するとともに車両前後方向に延びる左上膨出部とからなり得る。この場合、カバーの上頂面上の雨水等が走行中に右面から中央面に流れたり、左面から中央面に流れたりすることを右上膨出部及び左上膨出部によって防止し、雨水等がライダにかかることを防止できる。
【００２５】
起動スイッチはその中央面に配置されていることが好ましい。物入れリッドオープナ、燃料リッドオープナ及び／又はシートオープナも中央面に配置されていることが好ましい。中央面はその両側の右上膨出部及び左上膨出部によって雨水等に曝され難いため、起動スイッチ等が雨水等によって故障し難くなる。
【００２６】
カバーの上頂面は、車両後方に向かって低くなるように傾斜していることが好ましい。この場合、非走行時や低速走行時に上頂面上の雨水等が残留し難く、起動スイッチ等が雨水等によって故障し難い。また、シート上のライダは、起動スイッチ等を直視し易く、起動スイッチ等の操作を迅速に行うことができる。
【００２７】
カバーの立壁面は、上部よりも下部の方が車両前方に位置するように傾斜していることが好ましい。この場合、ライダがゆとりをもって足をフートボード上に載せることができ、この状態で起動スイッチ等を操作できるため、上記の効果が顕著になる。
【発明を実施するための最良の形態】
【００２８】
以下、本発明を具体化した実施例を図面を参照しつつ説明する。
【実施例】
【００２９】
実施例のスクータ型車両は排気量２５０ｃｃの大型のスクータである。このスクータは、図１及び図２に示すように、前輪１、後輪２及び図示しないエンジン等を支える車体フレーム３を備えており、車体フレーム３のヘッドパイプ３ａ回りにカバー４が設けられている。カバー４は車体フレーム３に図示しないブラケットを介して固定されている。図３に示すように、ヘッドパイプ３ａ内にはステアリング軸５が回動自在に支持されており、ステアリング軸３の上端部にハンドルポスト１９を介して操向ハンドル７が固定されている。
【００３０】
カバー４は、車両前方に位置するフロントカバー４ａと、フロントカバー４ａの車両後方側でフロントカバー４ａと一体をなすインナーカバー４ｂとを有し、フロントカバー４ａ及びインナーカバー４ｂがステアリング軸５の周囲を覆っている。この場合の「周囲を覆う」とは、ステアリング軸５の軸方向上方近傍あるいは軸方向下方近傍を覆っている場合も含むことを意味する。
【００３１】
フロントカバー４ａはＦＲＰからなる基材の表面が塗装されたものであり、その前方にヘッドライト６が設けられている。また、フロントカバー４ａの上部には、操向ハンドル７の車両前方に位置するメータバイザ１５が固定され、メータバイザ１５の前面には風防用のスクリーン１７が固定されている。
【００３２】
また、図１に示すように、インナーカバー４ｂの車両後方にはシート９が配置されており、インナーカバー４ｂとシート９との間にはフートボード１１が配置されている。フートボード１１は、車両幅方向の中央で車両上方に突出する突出部１１ａを有している。図４に示すように、フートボード１１の突出部１１ａは、車両前後方向に延在して車両上方に面した下頂面ＰＦを有している。
【００３３】
インナーカバー４ｂは、図４〜６に示すように、フートボード１１から上方に延在するカバー本体としての内パネル２０と、内パネル２０の右側に揺動可能に設けられた右物入れリッド２３と、内パネル２０の中央に揺動可能に設けられた中物入れリッド２２と、内パネル２０の左側に揺動可能に設けられた左物入れリッド２１とを有している。右物入れリッド２３及び左物入れリッド２１は樹脂からなる基材の表面をフロントカバー４ａと同色で塗装したものであり、中物入れリッド２２は塗装されていない樹脂製のものである。右物入れリッド２３の表面が右面ＳＦＲであり、中物入れリッド２２の表面が中央面ＳＦＣであり、左物入れリッド２１の表面が左面ＳＦＬである。
【００３４】
図６に示すように、内パネル２０の右側には手前側に開く挿入口をもつ物入れ２０ｃが形成され、内パネル２０の中央には同様の物入れ２０ｂが形成され、内パネル２０の左側には同様の物入れ２０ａが形成されている。右物入れリッド２３、中物入れリッド２２及び左物入れリッド２１の下端部は、各物入れ２０ｃ、２０ｂ、２０ａの下端で支軸を中心に回動可能に支持されている。また、各物入れ２０ｃ、２０ｂ、２０ａの上端には、右物入れリッド２３、中物入れリッド２２又は左物入れリッド２１の各上端部を固定する物入れリッド固定装置２６、２５、２４が設けられている。
【００３５】
また、図５及び図６に示すように、インナーカバー４ｂは、内パネル２０の右側の上端縁から車両前方に向かって延在して車両上方に面する右上パネル３３と、内パネル２０の中央の上端縁から車両前方に向かって延在して車両上方に面する中上パネル３２と、内パネル２０の左側の上端縁から車両前方に向かって延在して車両上方に面する左上パネル３１とを有している。右上パネル３３及び左上パネル３１は樹脂からなる基材の表面をフロントカバー４ａと同色で塗装したものであり、中上パネル３２は塗装されていない樹脂製のものである。右上パネル３３及び左上パネル３１にはオーディオのスピーカ等を取り付けることが可能である。右上パネル３３の表面が右面ＴＦＲであり、中上パネル３２の表面が中央面ＴＦＣであり、左上パネル３１の表面が左面ＴＦＬである。
【００３６】
また、インナーカバー４ｂは右仕切り部材４２及び左仕切り部材４１を有している。右仕切り部材４２は、右上パネル３３と中上パネル３２との間から、右物入れリッド２３と中物入れリッド２２との間を経て、フートボード１１の突出部１１ａの下頂面ＰＦの右側まで延びている。左仕切り部材４１は、左上パネル３１と中上パネル３２との間から、左物入れリッド２１と中物入れリッド２２との間を経て、フートボード１１の突出部１１ａの下頂面ＰＦの左側まで延びている。そして、右仕切り部材４２及び左仕切り部材４１は、シート９の手前において互いに近づいて連結されている。
【００３７】
右上パネル３３の右面ＴＦＲと、中上パネル３２の中央面ＴＦＣとの間に位置する右仕切り部材４２が車両上方に膨出するとともに車両前後方向に延びる右上膨出部４２ＴＲに相当する。また、中上パネル３２の中央面ＴＦＣと、左上パネル３１の左面ＴＦＬとの間に位置する左仕切り部材４１が車両上方に膨出するとともに車両前後方向に延びる左上膨出部４１ＴＬに相当する。右仕切り部材４２及び左仕切り部材４１はメータバイザ１５の左右両端部に当接している。
【００３８】
すなわち、車両前後方向に延在して車両上方に面した上頂面ＴＦは、右面ＴＦＲと、中央面ＴＦＣと、左面ＴＦＬと、右上膨出部４２ＴＲと、左上膨出部４１ＴＬとからなる。上頂面ＴＦは車両後方に向かって低くなるように傾斜している。ここで言う「車両上方に面した」とは、頂面が水平面である場合はもちろん、頂面が、本実施例のように、水平面に対して傾斜している場合も含む。
【００３９】
右物入れリッド２３の右面ＳＦＲと、中物入れリッド２２の中央面ＳＦＣとの間に位置する右仕切り部材４２が車両後方に膨出するとともに車両下方に延びる右中膨出部４２ＳＲに相当する。また、中物入れリッド２２の中央面ＳＦＣと、左物入れリッド２１の左面ＳＦＬとの間に位置する左仕切り部材４１が車両後方に膨出するとともに車両下方に延びる左中膨出部４１ＳＬに相当する。右仕切り部材４２及び左仕切り部材４１は車両後方に連続しているから、右中膨出部４２ＳＲは右上膨出部４２ＴＲと連続し、左中膨出部４１ＳＬは左上膨出部４１ＴＬと連続している。
【００４０】
すなわち、上頂面ＴＦの車両後方端縁から車両下方に延在する立壁面ＳＦは、右面ＳＦＲと、中央面ＳＦＣと、左面ＳＦＬと、右中膨出部４２ＳＲと、左中膨出部４１ＳＬとからなる。図３に示すように、立壁面ＳＦは、上部よりも下部の方が車両前方に位置するように傾斜している。ここで言う「車両下方に延在する」とは、鉛直方向に延びている場合はもちろん、本実施例のように、鉛直面に対して傾斜している場合も含む。
【００４１】
図４に示すように、フートボード１１の下頂面ＰＦの右側に右仕切り部材４２が位置し、下頂面ＰＦの左側に左仕切り部材４１が位置している。突出部１１ａ上の右仕切り部材４２が車両上方に膨出するとともに車両前後方向に延びる右下膨出部４２ＵＲに相当する。また、突出部１１ａ上の左仕切り部材４１が車両上方に膨出するとともに車両前後方向に延びる左下膨出部４１ＵＬに相当する。右仕切り部材４２及び左仕切り部材４１は車両後方に連続しているから、右下膨出部４２ＵＲは右中膨出部４２ＳＲと連続し、左下膨出部４１ＵＬは左中膨出部４１ＳＬと連続している。
【００４２】
図２に示すように、フートボード１１の突出部１１ａ内には燃料タンク１３が収納されている。燃料タンク１３の燃料供給口１３ａは燃料キャップ１３ｂによって開閉されるようになっている。図６に示すように、フートボード１１の突出部１１ａには燃料キャップ１３ｂを覆う燃料リッド２７が設けられており、この燃料リッド２７は前端部が支軸を中心に回動可能に支持されている。燃料リッド２７の後端部は燃料リッド固定装置２８によってフートボード１１に固定されるようになっている。
【００４３】
図２に示すように、シート９は前端部が支軸を中心に回動可能に車体に支持されており、シート９を前方に揺動させることによりヘルメット等を収納するための収納ボックスを開放できるようになっている。車体フレーム３とシート９の後端部との間にはシート９の後端部を車体フレーム３に固定するシート固定装置９ａが備えられている。
【００４４】
また、このスクータは、図７に示すように、携帯機としてのカードキー５１と交信して正規の所有者であるか否かを認証する認証回路５２と、認証回路５２を起動する起動スイッチ５３とを備えている。カードキー５１、認証回路５２、起動スイッチ５３がいわゆるスマートキーシステムを構成している。カードキー５１は正規の所有者によって携帯される。認証回路５２はスクータにおけるカバー４内のヘッドパイプ３ａの後方に設けられている。
【００４５】
図３に示すように、ステアリング軸５は、カバー４の中上パネル３２を貫通し、中上パネル３２上でハンドルポスト１９に固定されている。図４〜６に示すように、起動スイッチ５３はスクータの中上パネル３２上でハンドルポスト１９より後方に配置されている。この起動スイッチ５３はプッシュ式のものである。
【００４６】
操向ハンドル７のグリップ近くには、図５に示すように、セルモータスイッチ７ａが設けられている。また、図４〜６に示すように、起動スイッチ５３のすぐ左側にはプッシュ式の物入れリッドオープナ５４が配置されている。起動スイッチ５３のすぐ右側にはプッシュ式の兼用オープナ５５も配置されている。兼用オープナ５５は、短時間の押圧で燃料リッドオープナ５５ａとして機能し、長時間の押圧でシートオープナ５５ｂとして機能する。また、ハンドルポスト１９の右手前にはプッシュ式のロックスイッチ５６が配置されている。図７に示す認証回路５２は、これらセルモータスイッチ７ａ、物入れリッドオープナ５４、燃料リッドオープナ５５ａ、シートオープナ５５ｂ及びロックスイッチ５６に電気的に接続されている。
【００４７】
上記のように構成されたスクータでは、起動スイッチ５３の押圧によって認証回路５２が起動され、正規の所有者が所持しているカードキー５１と認証回路５２との間での認証が成立すると、車両の電源がオンされる。また、これと同時に、操向ハンドル７のロックが解除される。
【００４８】
この際、このスクータでは、起動スイッチ５３が立壁面ＳＦではなく、上頂面ＴＦの中央面ＴＦＣに配置されているため、起動スイッチ５３の操作時にライダの足が邪魔になることはなく、起動スイッチ５３の操作性が良好である。また、シート９上のライダは、身を屈めるまでもなく、中央面ＴＦＣ上の起動スイッチ５３を直視できるため、認証回路５２の起動及び停止を迅速に行うことができる。特に、このスクータでは、プッシュ式の起動スイッチ５３を採用しているため、ライダは目視しながら指等によって起動スイッチ５３を押圧しやすく、より良好な操作性を発揮できる。
【００４９】
認証回路５２が起動した状態で物入れリッドオープナ５４を押圧すれば、物入れリッド固定装置２４が開錠状態となり、図６に示すように、左物入れリッド２１が下方に揺動する。この際も、物入れリッドオープナ５４が中央面ＴＦＣで起動スイッチ５３のすぐ左に配置されているため、ロックの解除を迅速に行うことができ、より良好な操作性を発揮できる。これにより物入れ２０ａが開く。なお、物入れリッド固定装置２５、２６の開錠は自由に行い得るため、物入れ２０ｂ、２０ｃは自由に開き得る。
【００５０】
認証回路５２が起動した状態で兼用オープナ５５を長時間押圧すれば、燃料リッド固定装置２８が開錠状態となり、図２及び図６に示すように、燃料リッド２７が上方に揺動する。この際も、兼用オープナ５５が中央面ＴＦＣで起動スイッチ５３のすぐ右に配置されているため、ロックの解除を迅速に行うことができ、より良好な操作性を発揮できる。これにより、燃料タンク１３への給油が可能になる。
【００５１】
認証回路５２が起動した状態で兼用オープナ５５を短時間押圧すれば、シート固定装置９ａが開錠状態となり、図２に示すように、シート９を上方に揺動できるようになる。この際も、ロックの解除を迅速に行うことができ、より良好な操作性を発揮できる。これにより、収納ボックスを開放することが可能になる。
【００５２】
ここで、このスクータでは、上頂面ＴＦが車両後方に向かって低くなるように傾斜しているため、シート９上のライダは、起動スイッチ５３等を直視し易く、起動スイッチ５３等の操作を迅速に行うことができる。特に、立壁面ＳＦも傾斜しているため、ライダがゆとりをもって足をフートボード１１上に載せることができ、この状態で起動スイッチ５３等を操作できるため、上記の効果が顕著になっている。
【００５３】
また、このスクータでは、使用頻度の低い燃料リッドオープナ５５ａ及びシートオープナ５５ｂを単一の兼用オープナ５５で実現し、押圧時間の長短によってその機能を分けているため、使用頻度の高い物入れリッドオープナ５４を独立のものとするとともに、中央面ＴＦＣ上のボタン数を減少させてより優れた操作性を発揮している。
【００５４】
そして、認証回路５２が起動した状態でセルモータスイッチ７ａを操作すれば、図示しないセルモータが回転し、エンジンが始動する。
【００５５】
起動スイッチ５３を長時間押圧すれば、エンジンが停止し、車両の電源がオフされるとともに認証回路５２が停止される。これによって、正規のカードキー５１を所持する所有者以外が物入れリッドオープナ５４、兼用オープナ５５、セルモータスイッチ７ａ等を操作しても、有効に機能させることが不可能になる。
【００５６】
したがって、このスクータは、スマートキーシステムの利便性をより向上させることが可能である。
【００５７】
また、このスクータは、右仕切り部材４２及び左仕切り部材４１を採用しているため、カバー４の上頂面ＴＦ上の雨水等が走行中に右面ＴＦＲから中央面ＴＦＣに流れたり、左面ＴＦＬから中央面ＴＦＣに流れたりすることを右仕切り部材４２及び左仕切り部材４１によって防止し、雨水等がライダにかかることを防止できる。
【００５８】
さらに、このスクータは、起動スイッチ５３、物入れリッドオープナ５４、兼用オープナ５５は、右仕切り部材４２及び左仕切り部材４１によって雨水等に曝され難い中央面ＴＦＣに配置されているため、雨水等によって故障し難い。特に、上頂面ＴＦが車両後方に向かって低くなるように傾斜しているため、非走行時や低速走行時においても、上頂面ＴＦ上の雨水等が残留し難く、起動スイッチ５３等が雨水等によって故障し難い。
【００５９】
以上において、本発明を実施例に即して説明したが、本発明は上記実施例に制限されるものではなく、その趣旨を逸脱しない範囲で適宜変更して適用できることはいうまでもない。
【００６０】
例えば、起動スイッチ５３は、プッシュ式のものに限定されることなく、回転させるノブ式のものでもよい。フートボード１１は、車両幅方向の中央において車両上方に突出する突出部１１ａを有さず、車幅方向に平坦面が連続するものでもよい。各リッドの支軸の向きは車両幅方向に限らず、前後方向、斜めに傾斜、の何れでもよい。「固定装置」は、機械式でも電子式でもどちらでもよい。操向ハンドル７はステアリング軸５に直接取り付ける必要はなく、ブラケットを介して取り付けてもよい。
【産業上の利用可能性】
【００６１】
本発明はスクータ、バギー、スノーモービル等に利用可能である。
【図面の簡単な説明】
【００６２】
【図１】実施例のスクータの側面図である。
【図２】実施例のスクータをやや簡略化し、シート等を持ち上げた状態の側面図である。
【図３】実施例のスクータの前部を拡大して示す側面図である。
【図４】実施例のスクータの前部を拡大して示す平面図である。
【図５】実施例のスクータの前部を拡大して示す背面図である。
【図６】実施例のスクータの前部を拡大して示し、左側の物入れ等を開放した状態の背面図である。
【図７】実施例のスクータに係り、スマートキーシステムのブロック構成図である。
【符号の説明】
【００６３】
３ａ…ヘッドパイプ
５…ステアリング軸
７…操向ハンドル
４…カバー
９…シート
１１…フートボード
５１…携帯機（カードキー）
５２…認証回路
５３…起動スイッチ
ＳＦ…立壁面
ＴＦ…上頂面（ＴＦＣ…中央面、ＴＦＲ…右側面、ＴＦＬ…左側面）
２０ａ、２０ｂ、２０ｃ…物入れ
２０…カバー本体（内パネル）
２１、２２、２３…物入れリッド（２１…左物入れリッド、２２…中物入れリッド、２３…右物入れリッド）
２４、２５、２６…物入れリッド固定装置
５４…物入れリッドオープナ
１３ａ…燃料供給口
１３ｂ…燃料キャップ
２７…燃料リッド
２８…燃料リッド固定装置
５５…兼用オープナ（５５ａ…燃料リッドオープナ、５５ｂ…シートオープナ）
９ａ…シート固定装置
【図１】
2008195242.tif 000003
【図２】
2008195242.tif 000004
【図３】
2008195242.tif 000005
【図４】
2008195242.tif 000006
【図５】
2008195242.tif 000007
【図６】
2008195242.tif 000008
【図７】
2008195242.tif 000009